(57)【要約】【課題】本発明は、簡易な構成でかつユーザにとって容易に複数チャンネルの映像信号を生成できるようにする。【解決手段】本発明は、水平成分偏光フィルタ３及び偏光フィルタＨＦ１、ＨＦ３、ＨＦ５、……を介して被写体からの第１の映像光における水平成分Ｌ１だけをＣＣＤ２のオッド第１ラインＶ１ＯＬ１、イーブン第１ラインＶ１ＥＬ１、オッド第２ラインＶ１ＯＬ２、イーブン第２ラインＶ１ＥＬ２、……の画素にだけ集光させると共に、垂直成分偏光フィルタ４及び偏光フィルタＨＦ２、ＨＦ４、ＨＦ６、……を介して被写体からの第２の映像光における垂直成分Ｌ２だけをＣＣＤ２のオッド第１ラインＶ２ＯＬ１、イーブン第１ラインＶ２ＥＬ１、オッド第２ラインＶ２ＯＬ２、イーブン第２ラインＶ２ＥＬ２、……の画素にだけ集光させることにより、第１の映像光及び第２の映像光にそれぞれ対応したチャンネルの映像信号を生成することができる。【選択図】        図１
2004309868.tif 000002
【特許請求の範囲】
【請求項１】
所定数の走査線の整数倍に相当する画素が撮像面に設けられた撮像手段と、
被写体からの第１の映像光における水平成分だけを透過する第１の水平成分偏光手段と、
上記第１の水平成分偏光手段とは所定距離だけ離隔された位置に配置され、上記被写体からの第２の映像光における垂直成分だけを透過する第１の垂直成分偏光手段と
を具え、
上記第１の水平成分偏光手段により透過した上記水平成分を上記撮像面における所定範囲の画素に集光させ、
上記第１の垂直成分偏光手段によって透過された上記垂直成分を上記所定範囲を除く残余範囲の画素に集光させる
ことを特徴とする撮像装置。
【請求項２】
上記走査線の整数倍とは、上記走査線の１倍を含む
ことを特徴とする請求項１に記載の撮像装置。
【請求項３】
上記撮像面における所定範囲の画素とは、１走査線飛びの走査線にそれぞれ応した画素であり、
上記撮像面における上記残余範囲の画素とは、上記１走査線飛びの走査線を除く残りの走査線にそれぞれ対応した画素である
ことを特徴とする請求項１に記載の撮像装置。
【請求項４】
上記撮像手段は、上記第１の映像光における水平成分だけが上記所定範囲の画素に集光されたことにより立体映像を構成するための左眼用映像信号を生成し、上記第２の映像光における垂直成分だけが上記残余範囲の画素に集光されたことにより上記立体映像を構成するための右眼用映像信号を生成する
ことを特徴とする請求項１に記載の撮像装置。
【請求項５】
上記撮像装置は、上記走査線の整数倍に相当する全ての画素の前面に赤色、緑色又は青色の色フィルタもしくは補色シアン、マゼンタ、イエローの色フィルタがそれぞれ設けられている
ことを特徴とする請求項１に記載の撮像装置。
【請求項６】
所定数の走査線の整数倍に相当する画素が撮像面に設けられた撮像手段と、左眼用映像信号を生成するために被写体からの第１の映像光における水平成分だけを透過する第１の水平成分偏光手段と、上記第１の水平成分偏光手段とは所定距離だけ離隔された位置に配置され、右眼用映像信号を生成するために上記被写体からの第２の映像光における垂直成分だけを透過する第１の垂直成分偏光手段とを具え、上記第１の水平成分偏光手段により透過した上記水平成分を上記撮像面における所定範囲の画素に集光させ、上記第１の垂直成分偏光手段によって透過された上記垂直成分を上記所定範囲を除く残余範囲の画素に集光させる撮像装置と、
上記撮像装置によって生成した左眼用映像信号及び右眼用映像信号を所定の表示部に表示するための信号処理を施す信号処理手段と、
上記信号処理手段によって上記信号処理の施された上記左眼用映像信号と上記右眼用映像信号とを立体映像用に所定時間間隔で交互に切り換えて出力する制御手段と
を具えることを特徴とする立体映像生成装置。
【発明の詳細な説明】
【０００１】
【発明の属する技術分野】
本発明は撮像装置及び立体映像生成装置に関し、例えば立体映像を構成するための２チャンネル分の映像信号を生成する場合に適用して好適なものである。
【０００２】
【従来の技術】
従来、被写体を撮影して映像信号を生成するものとして固体撮像素子すなわちＣＣＤ（Ｃｈａｒｇｅ  Ｃｏｕｐｌｅｄ  Ｄｅｖｉｃｅ）を搭載したビデオカメラが知られている（例えば、特許文献１参照）。
【０００３】
この種のビデオカメラを用いてユーザが立体映像を生成するためには、共通の被写体に対して２台のビデオカメラを人間の視差に応じた位置に離間した状態で設置し当該被写体を同時に撮影することにより、当該２台のビデオカメラからそれぞれ左眼用映像信号及び右眼用映像信号を生成するようになされている。
【０００４】
【特許文献１】
特開平９−３１２８４９号公報
【０００５】
【発明が解決しようとする課題】
ところで上述のように、２台のビデオカメラを用いて立体映像用に供する左眼用映像信号及び右眼用映像信号を生成するためには、２台のビデオカメラに対する撮影条件を揃えなければならないところ、この撮影条件を揃えることは必ずしも容易ではなく、ユーザに複雑かつ煩雑な操作を強いることになっていた。
【０００６】
例えばユーザは、２台のビデオカメラに対して焦点距離、絞り、ズーム、色調、明るさ等の各種調整項目を揃えるための煩雑な設定をしなければならず、その上２台のビデオカメラ毎にも性能のばらつきが存在することから、２台のビデオカメラを用いて立体映像用に供する左眼用映像信号及び右眼用映像信号を生成することは困難であった。
【０００７】
本発明は以上の点を考慮してなされたもので、簡易な構成でかつユーザにとって容易に複数チャンネルの映像信号を撮像し得る撮像装置及び立体映像生成装置を提案しようとするものである。
【０００８】
【課題を解決するための手段】
かかる課題を解決するため本発明においては、所定数の走査線の整数倍に相当する画素が撮像面に設けられた撮像手段と、被写体からの第１の映像光における水平成分だけを透過する第１の水平成分偏光手段と、第１の水平成分偏光手段とは所定距離だけ離隔された位置に配置され、被写体からの第２の映像光における垂直成分だけを透過する第１の垂直成分偏光手段とを具え、第１の水平成分偏光手段により透過した水平成分を撮像面における所定範囲の画素に集光させ、第１の垂直成分偏光手段によって透過された垂直成分を所定範囲を除く残余範囲の画素に集光させるようにする。
【０００９】
第１の水平成分偏光手段を介して被写体からの第１の映像光における水平成分だけを撮像手段の撮像面における所定範囲の画素にだけ集光させると共に、第１の垂直成分偏光手段を介して被写体からの第２の映像光における垂直成分だけを撮像手段の撮像面における残余範囲の画素にだけ集光させることにより、第１の映像光及び第２の映像光にのみ対応したチャンネルの映像信号をそれぞれ生成することができる。
【００１０】
また本発明においては、所定数の走査線の整数倍に相当する画素が撮像面に設けられた撮像手段と、左眼用映像信号を生成するために被写体からの第１の映像光における水平成分だけを透過する第１の水平成分偏光手段と、第１の水平成分偏光手段とは所定距離だけ離隔された位置に配置され、右眼用映像信号を生成するために被写体からの第２の映像光における垂直成分だけを透過する第１の垂直成分偏光手段とを具え、第１の水平成分偏光手段により透過した水平成分を撮像面における所定範囲の画素に集光させ、第１の垂直成分偏光手段によって透過された垂直成分を所定範囲を除く残余範囲の画素に集光させる撮像装置と、撮像装置によって生成した左眼用映像信号及び右眼用映像信号を所定の表示部に表示するための信号処理を施す信号処理手段と、信号処理手段によって信号処理の施された左眼用映像信号と右眼用映像信号とを立体映像用に所定時間間隔で交互に切り換えて出力する制御手段とを設けるようにする。
【００１１】
第１の水平成分偏光手段を介して被写体からの第１の映像光における水平成分だけを撮像手段の撮像面における所定範囲の画素にだけ集光させると共に、第１の垂直成分偏光手段を介して被写体からの第２の映像光における垂直成分だけを撮像手段の撮像面における残余範囲の画素にだけ集光させることにより、第１の映像光及び第２の映像光に対応した左眼用映像信号及び右眼用映像信号をそれぞれ生成し、当該左眼用映像信号及び右眼用映像信号に対して所定の信号処理を施した後、所定時間間隔で交互に切り換えて出力することにより、当該左眼用映像信号及び右眼用映像信号を立体映像として表示することができる。
【００１２】
【発明の実施の形態】
以下、図面について、本発明の一実施の形態を詳述する。
【００１３】
（１）撮像装置の構成
（１−１）インタレース方式に対応した撮像装置
図１において、１は全体として本発明におけるインタレース方式に対応した撮像装置を示し、例えばＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式における走査線数（５２５本）の２倍の走査線数（１０５０本）に対応した画素数を有する固体撮像素子（以下、これをＣＣＤと呼ぶ）２を有し、当該ＣＣＤ２の撮像面に対して所定距離だけ離れた位置に、人間の視差に応じた間隔だけ離間して配置された水平成分偏光フィルタ３及び垂直成分偏光フィルタ４がレンズ５及び６と共に設けられている。
【００１４】
この撮像装置１は、レンズ５及び水平成分偏光フィルタ３を介して被写体からの第１の映像光Ｌ１のうち水平成分ＨＬ１だけを透過してＣＣＤ２の撮像面に集光すると共に、レンズ６及び垂直成分偏光フィルタ４を介して被写体からの第２の映像光Ｌ２のうち垂直成分ＶＬ２だけを透過してＣＣＤ２の撮像面に集光するようになされている。
【００１５】
ここでＣＣＤ２は、通常のＮＴＳＣ方式における２倍の走査線数（１０５０本）に対応した画素数を有しており、立体映像を構成するための左眼用の第１チャンネル映像信号（オッドフィールド映像信号、イーブンフィールド映像信号）と右眼用の第２チャンネル映像信号（オッドフィールド映像信号、イーブンフィールド映像信号）とを生成し得るようになされている。
【００１６】
すなわち図２に示すようにＣＣＤ２は、上から順番に第１チャンネル映像信号のオッド第１ラインＶ１ＯＬ１、第２チャンネル映像信号のオッド第１ラインＶ２ＯＬ１、第１チャンネル映像信号のイーブン第１ラインＶ１ＥＬ１、第２チャンネル映像信号のイーブン第１ラインＶ２ＥＬ１、第１チャンネル映像信号のオッド第２ラインＶ１ＯＬ２、第２チャンネル映像信号のオッド第２ラインＶ２ＯＬ２、第１チャンネル映像信号のイーブン第２ラインＶ１ＥＬ２、第２チャンネル映像信号のイーブン第２ラインＶ２ＥＬ２、……を有している。
【００１７】
従ってＣＣＤ２においては、左眼用の第１チャンネル映像信号のオッド第１ラインＶ１ＯＬ１から１走査線飛びに順次配置された第１チャンネル映像信号のイーブン第１ラインＶ１ＥＬ１、第１チャンネル映像信号のオッド第２ラインＶ１ＯＬ２、第１チャンネル映像信号のイーブン第２ラインＶ１ＥＬ２、……が左眼用の第１チャンネル映像信号に対応した画素ラインとなる。
【００１８】
なお左眼用の第１チャンネル映像信号は、オッド第１ラインＶ１ＯＬ１、オッド第２ラインＶ１ＯＬ２、オッド第３ラインＶ１ＯＬ３、……によってオッドラインだけからなるオッドフィールド映像信号が形成され、イーブン第１ラインＶ１ＥＬ１、イーブン第２ラインＶ１ＥＬ２、イーブン第３ラインＶ１ＥＬ３、……によってイーブンラインだけのイーブンフィールド映像信号が形成される。
【００１９】
また、ＣＣＤ２における第２チャンネル映像信号のオッド第１ラインＶ２ＯＬ１から１走査線飛びに順次配置された第２チャンネル映像信号のイーブン第１ラインＶ２ＥＬ１、第２チャンネル映像信号のオッド第２ラインＶ２ＯＬ２、第２チャンネル映像信号のイーブン第２ラインＶ２ＥＬ２、……が右眼用の第２チャンネル映像信号に対応した画素ラインとなる。
【００２０】
この場合も、第２チャンネル映像信号は、オッド第１ラインＶ２ＯＬ１、オッド第２ラインＶ２ＯＬ２、オッド第３ラインＶ２ＯＬ３、……によってオッドラインだけのオッドフィールド映像信号が形成され、イーブン第１ラインＶ２ＥＬ１、イーブン第２ラインＶ２ＥＬ２、イーブン第３ラインＶ２ＥＬ３、……によってイーブンラインだけのイーブンフィールド映像信号が形成される。
【００２１】
実際上、ＣＣＤ２としては、左眼用の第１チャンネル映像信号に対応する走査線（５２５本）及び右眼用の第２チャンネル映像信号に対応する走査線（５２５本）に応じた複数の画素を構成するフォトダイオードＦＤが設けられている。
【００２２】
またＣＣＤ２は、第１の映像光Ｌ１のうち水平成分ＨＬ１及び第２の映像光Ｌ２のうち垂直成分ＶＬ２をフォトダイオードＦＤに集光して感度を向上させるためのマイクロレンズＭＬが当該フォトダイオードＦＤに対してそれぞれ配設され、当該マイクロレンズＭＬに対してＲ（Ｒｅｄ）、Ｇ（Ｇｒｅｅｎ）又はＢ（Ｂｌｕｅ）のカラーフィルタＣＦが順番に配設されている。なおＲ、Ｇ、Ｂの代わりにシアン、マゼンタ、イエローの補色も可能ではあるが以下、Ｒ、Ｇ、ＢのカラーフィルタＣＦとして説明する。
【００２３】
さらにＣＣＤ２は、左眼用の第１チャンネル映像信号のオッド第１ラインＶ１ＯＬ１、イーブン第１ラインＶ１ＥＬ１、オッド第２ラインＶ１ＯＬ２、イーブン第２ラインＶ１ＥＬ２、……の各走査線に対しては第１の映像光Ｌ１の水平成分ＨＬ１だけを透過するための偏光フィルタＨＦ１、ＨＦ３、ＨＦ５、ＨＦ７、ＨＦ９、……がカラーフィルタＣＦの前面に対して設けられている。
【００２４】
同様にＣＣＤ２は、右眼用の第２チャンネル映像信号のオッド第１ラインＶ２ＯＬ１、イーブン第１ラインＶ２ＥＬ１、オッド第２ラインＶ２ＯＬ２、イーブン第２ラインＶ２ＥＬ２、……の各走査線に対しては第２の映像光Ｌ２の垂直成分ＶＬ２だけを透過するための偏光フィルタＨＦ２、ＨＦ４、ＨＦ６、ＨＦ８、……がカラーフィルタＣＦの前面に対して設けられている。
【００２５】
これにより偏光フィルタＨＦ１、ＨＦ３、ＨＦ５、ＨＦ７、ＨＦ９、……は、水平成分偏光フィルタ３と同様に第１の映像光Ｌ１のうち水平成分ＨＬ１だけを透過し、当該水平成分ＨＬ１を左眼用の第１チャンネル映像信号のオッド第１ラインＶ１ＯＬ１、イーブン第１ラインＶ１ＥＬ１、オッド第２ラインＶ１ＯＬ２、イーブン第２ラインＶ１ＥＬ２、……の各走査線に対応したフォトダイオードＦＤに照射する。
【００２６】
また偏光フィルタＨＦ２、ＨＦ４、ＨＦ６、ＨＦ８、……は、垂直成分偏光フィルタ４と同様に第２の映像光Ｌ２のうち垂直成分ＶＬ２だけを透過し、当該垂直成分ＶＬ２を右眼用の第２チャンネル映像信号のオッド第１ラインＶ２ＯＬ１、イーブン第１ラインＶ２ＥＬ１、オッド第２ラインＶ２ＯＬ２、イーブン第２ラインＶ２ＥＬ２、……の各走査線に対応したフォトダイオードＦＤに照射するようになされている。
【００２７】
従ってＣＣＤ２は、レンズ５、水平成分偏光フィルタ３及び偏光フィルタＨＦ１、ＨＦ３、ＨＦ５、ＨＦ７、ＨＦ９……を介して被写体からの第１の映像光Ｌ１のうち水平成分ＨＬ１だけが第１チャンネル映像信号のオッド第１ラインＶ１ＯＬ１、イーブン第１ラインＶ１ＥＬ１、オッド第２ラインＶ１ＯＬ２、イーブン第２ラインＶ１ＥＬ２に入射されることになり、これにより左眼用の第１チャンネル映像信号（オッドフィールド映像信号、イーブンフィールド映像信号）を生成して出力し得るようになされている。
【００２８】
同様にＣＣＤ２は、レンズ６及び垂直成分偏光フィルタ４及び偏光フィルタＨＦ２、ＨＦ４、ＨＦ６、ＨＦ８……を介して被写体からの第２の映像光Ｌ２のうち垂直成分ＶＬ２だけが第２チャンネル映像信号のオッド第１ラインＶ２ＯＬ１、イーブン第１ラインＶ２ＥＬ１、オッド第２ラインＶ２ＯＬ２、イーブン第２ラインＶ２ＥＬ２に入射されることになり、これにより右眼用の第２チャンネル映像信号（オッドフィールド映像信号、イーブンフィールド映像信号）を生成して出力し得るようになされている。
【００２９】
（１−２）プログレッシブ方式に対応した撮像装置
図１との対応部分に同一符号を付して示す図３において、１１は全体として本発明におけるプログレッシブ方式に対応した撮像装置を示し、例えばＮＴＳＣ方式における走査線数（５２５本）の２倍の走査線数（１０５０本）に対応した画素数を有するＣＣＤ１２を有し、当該ＣＣＤ１２の撮像面に対して所定距離だけ離れた位置に、人間の視差に応じた間隔だけ離間して配置された水平成分偏光フィルタ３及び垂直成分偏光フィルタ４がレンズ５及び６と共に設けられている。
【００３０】
この撮像装置１１は、レンズ５及び水平成分偏光フィルタ３を介して被写体からの第１の映像光Ｌ１のうち水平成分ＨＬ１だけを透過してＣＣＤ１２の撮像面に集光すると共に、レンズ６及び垂直成分偏光フィルタ４を介して被写体からの第２の映像光Ｌ２のうち垂直成分ＶＬ２だけを透過してＣＣＤ１２の撮像面に集光するようになされている。
【００３１】
この場合もＣＣＤ１２は、通常のＮＴＳＣ方式における２倍の走査線数（１０５０本）に対応した画素数を有しており、立体映像を構成するための左眼用の第１チャンネル映像信号（オッドフィールド映像信号、イーブンフィールド映像信号）と右眼用の第２チャンネル映像信号（オッドフィールド映像信号、イーブンフィールド映像信号）とを生成し得るようになされている。
【００３２】
図４に示すようにＣＣＤ１２は、上から順番に第１チャンネル映像信号の第１ラインＶ１ＰＬ１、第２チャンネル映像信号の第１ラインＶ２ＰＬ１、第１チャンネル映像信号の第２ラインＶ１ＰＬ２、第２チャンネル映像信号の第２ラインＶ２ＰＬ２、第１チャンネル映像信号の第３ラインＶ１ＰＬ３、第２チャンネル映像信号の第３ラインＶ２ＰＬ３、第１チャンネル映像信号の第４ラインＶ１ＰＬ４、第２チャンネル映像信号の第４ラインＶ２ＰＬ４……を有している。
【００３３】
すなわちＣＣＤ１２においては、左眼用の第１チャンネル映像信号の第１ラインＶ１ＰＬ１から１走査線飛びに順次配置された第１チャンネル映像信号の第２ラインＶ１ＰＬ２、第１チャンネル映像信号の第３ラインＶ１ＰＬ３、第１チャンネル映像信号の第４ラインＶ１ＰＬ４、……がプログレッシブ方式に対応した左眼用の第１チャンネル映像信号の画素ラインとなる。
【００３４】
また、ＣＣＤ１２においては、右眼用の第２チャンネル映像信号の第１ラインＶ２ＰＬ１から１走査線飛びに順次配置された第２チャンネル映像信号の第２ラインＶ２ＰＬ２、第２チャンネル映像信号の第３ラインＶ２ＰＬ３、第２チャンネル映像信号の第４ラインＶ２ＰＬ４、……がプログレッシブ方式に対応した右眼用の第２チャンネル映像信号の画素ラインとなる。
【００３５】
実際上、ＣＣＤ１２は、左眼用の第１チャンネル映像信号に対応する走査線（５２５本）及び右眼用の第２チャンネル映像信号に対応する走査線（５２５本）に応じた複数の画素を構成するフォトダイオードＦＤが設けられ、当該フォトダイオードＦＤの前面に対してマイクロレンズＭＬがそれぞれ配設されている。
【００３６】
さらにＣＣＤ１２は、左眼用の第１チャンネル映像信号の第１ラインＶ１ＰＬ１、第２ラインＶ１ＰＬ２、第３ラインＶ１ＰＬ３、第４ラインＶ１ＰＬ４、……の各走査線に対しては第１の映像光Ｌ１の水平成分ＨＬ１だけを透過するための偏光フィルタＨＦ１、ＨＦ３、ＨＦ５、ＨＦ７、ＨＦ９、……がカラーフィルタＣＦの前面に対して設けられている。
【００３７】
同様にＣＣＤ１２は、右眼用の第２チャンネル映像信号の第１ラインＶ２ＰＬ１、第２ラインＶ２ＰＬ２、第３ラインＶ２ＰＬ３、第４ラインＶ２ＰＬ４、……の各走査線に対しては第２の映像光Ｌ２の垂直成分ＶＬ２だけを透過するための偏光フィルタＨＦ２、ＨＦ４、ＨＦ６、ＨＦ８、……がカラーフィルタＣＦの前面に対して設けられている。
【００３８】
これにより偏光フィルタＨＦ１、ＨＦ３、ＨＦ５、ＨＦ７、ＨＦ９、……は、水平成分偏光フィルタ３と同様に第１の映像光Ｌ１のうち水平成分ＨＬ１だけを透過し、当該水平成分ＨＬ１を左眼用の第１チャンネル映像信号の第１ラインＶ１ＰＬ１、第２ラインＶ１ＰＬ２、第３ラインＶ１ＰＬ３、第４ラインＶ１ＰＬ４、……の各走査線に対応したフォトダイオードＦＤに照射する。
【００３９】
また偏光フィルタＨＦ２、ＨＦ４、ＨＦ６、ＨＦ８……は、垂直成分偏光フィルタ４と同様に第２の映像光Ｌ２のうち垂直成分ＶＬ２だけを透過し、当該垂直成分ＶＬ２を右眼用の第２チャンネル映像信号の第１ラインＶ２ＰＬ１、第２ラインＶ２ＰＬ２、第３ラインＶ２ＰＬ３、第４ラインＶ２ＰＬ４、……の各走査線に対応したフォトダイオードＦＤに照射するようになされている。
【００４０】
従ってＣＣＤ１２は、レンズ５、水平成分偏光フィルタ３及び偏光フィルタＨＦ１、ＨＦ３、ＨＦ５、ＨＦ７、ＨＦ９、……を介して被写体からの第１の映像光Ｌ１のうち水平成分ＨＬ１だけがＣＣＤ１２の第１チャンネル映像信号の第１ラインＶ１ＰＬ１、第２ラインＶ１ＰＬ２、第３ラインＶ１ＰＬ３、第４ラインＶ１ＰＬ４に入射されることになり、これによりプログレッシブ方式に対応した左眼用の第１チャンネル映像信号（走査線数５２５本）を生成して出力し得るようになされている。
【００４１】
またＣＣＤ１２は、レンズ６、垂直成分偏光フィルタ４及び偏光フィルタＨＦ２、ＨＦ４、ＨＦ６、ＨＦ８、……を介して被写体からの第２の映像光Ｌ２のうち垂直成分ＶＬ２だけがＣＣＤ１２の第２チャンネル映像信号の第１ラインＶ２ＰＬ１、第２ラインＶ２ＰＬ２、第３ラインＶ２ＰＬ３、第４ラインＶ２ＰＬ４に入射されることになり、これによりプログレッシブ方式に対応した右眼用の第２チャンネル映像信号（走査線数５２５本）を生成して出力し得るようになされている。
【００４２】
（２）立体映像生成装置
次に、図５に示すように上述した本発明のインタレース方式に対応した撮像装置１（図１及び図２）又はプログレッシブ方式に対応した撮像装置１１（図３及び図４）を搭載するビデオカメラ２１によって立体映像を生成する立体映像生成装置２０の回路構成について説明する。
【００４３】
この立体映像生成装置２０は、ビデオカメラ２１の撮像装置１又は１１によって被写体Ｑ１を撮像することにより得た左眼用の第１チャンネル映像信号Ｓ１及び右眼用の第２チャンネル映像信号Ｓ２を同時にアナログディジタル変換回路２２及び２３へ送出すると共に、左眼用の第１チャンネル映像信号Ｓ１を同期生成回路２４へ送出するようになされている。
【００４４】
なおビデオカメラ２１は、左眼用の第１チャンネル映像信号Ｓ１を同期生成回路２４へ送出するようになされているが、左眼用の第１チャンネル映像信号Ｓ１の代わりに右眼用の第２チャンネル映像信号Ｓ２を同期生成回路２４へ送出するようにしても良い。
【００４５】
同期生成回路２４は、左眼用の第１チャンネル映像信号Ｓ１に基づいて当該第１チャンネル映像信号Ｓ１と同期した同期信号を生成し、これをクロックジェネレータ２６へ送出する。
【００４６】
クロックジェネレータ２６は、同期生成回路２４から供給された同期信号に基づいて所定周波数のシステムクロックＣＬＫを生成し、これをマイクロコンピュータ２７へ出力するようになされている。
【００４７】
これによりマイクロコンピュータ２７は、クロックジェネレータ２６から供給されたシステムクロックＣＬＫに基づいて動作し、当該クロックジェネレータ２６、記録再生系２５、ライブ／ビデオ切換スイッチＳＷ１、モニター用画像処理回路２８及びユーザが立体映像を見るためのメガネ型の立体映像可視表示装置３２を制御するようになされている。
【００４８】
例えばマイクロコンピュータ２７は、ユーザの操作によりビデオカメラ２１で撮像された左眼用の第１チャンネル映像信号Ｓ１及び右眼用の第２チャンネル映像信号Ｓ２をモニター３１へ直接リアルタイムに出力するライブモードが選択された場合、クロックジェネレータ２６を介してアナログディジタル変換回路２２及び２３に対してシステムクロックＣＬＫを供給するが、このとき記録再生系２５にはシステムクロックＣＬＫの供給を停止するようになされている。
【００４９】
アナログディジタル変換回路２２は、ビデオカメラ２１から供給された左眼用の第１チャンネル映像信号Ｓ１に対してアナログディジタル変換処理を施し、その結果得られる左眼用の第１チャンネル映像データＤ３を記録再生系２５へ送出すると共に、ライブ／ビデオ切換スイッチＳＷ１を介してモニター用画像処理回路２８へ送出する。
【００５０】
アナログディジタル変換回路２３は、ビデオカメラ２１から供給された右眼用の第２チャンネル映像信号Ｓ２に対してアナログディジタル変換処理を施し、その結果得られる右眼用の第２チャンネル映像データＤ４を記録再生系２５へ送出すると共に、ライブ／ビデオ切換スイッチＳＷ１を介してモニター用画像処理回路２８へ送出する。
【００５１】
記録再生系２５は、記録媒体としてハードディスク、ＤＶＤ（Ｄｉｇｉｔａｌ  Ｖｅｒｓａｔｉｌｅ  Ｄｉｓｃ）、ＭＯ（Ｍａｇｎｅｔｏ  Ｏｐｔｉｃａｌ  ｄｉｓｃ）もしくはビデオテープを用いて左眼用の第１チャンネル映像データＤ３及び右眼用の第２チャンネル映像データＤ４を記録するようになされている。
【００５２】
なお記録再生系２５は、ユーザの操作によりビデオモードが選択された場合、マイクロコンピュータ２７の制御に従って、記録媒体に記録した左眼用の第１チャンネル映像データＤ３及び右眼用の第２チャンネル映像データＤ４を再生し、これをライブ／ビデオ切換スイッチＳＷ１を介してモニター用画像処理回路２８へ送出し得るようになされている。
【００５３】
またマイクロコンピュータ２７は、ユーザの操作により上述したライブモードが選択された場合、ライブ／ビデオ切換スイッチＳＷ１をアナログディジタル変換回路２２及び２３側へ切り換える。
【００５４】
一方、マイクロコンピュータ２７は、ユーザの操作により記録再生系２５で記録媒体を再生することにより得た左眼用の第１チャンネル映像データＤ３及び右眼用の第２チャンネル映像データＤ４をビデオ信号としてモニター２１へ出力するビデオモードが選択された場合、ライブ／ビデオ切換スイッチＳＷ１を記録再生系２５側へ切り換える。
【００５５】
これによりライブ／ビデオ切換スイッチＳＷ１は、アナログディジタル変換回路２２及び２３から供給された左眼用の第１チャンネル映像データＤ３及び右眼用の第２チャンネル映像データＤ４、又は記録再生系２５によって再生された左眼用の第１チャンネル映像データＤ３及び右眼用の第２チャンネル映像データＤ４をモニター用画像処理回路２８へ送出することになる。
【００５６】
モニター用画像処理回路２８は、マイクロコンピュータ２７の制御に従って、左眼用の第１チャンネル映像データＤ３及び右眼用の第２チャンネル映像データＤ４をディジタルアナログ変換回路２９によりディジタルアナログ変換処理した後にモニター３１へ出力して表示すべき表示タイミングを調整するようになされており、当該表示タイミングで第１チャンネル映像データＤ３及び第２チャンネル映像データＤ４に応じた左眼用映像及び右眼用映像をモニター３１へ出力するようになされている。
【００５７】
なおモニター用画像処理回路２８は、左眼用の第１チャンネル映像データＤ３及び右眼用の第２チャンネル映像データＤ４をディジタルアナログ変換処理した後にモニター２１へ出力する表示タイミングを調整すべく、メモリ３０に対して左眼用の第１チャンネル映像データＤ３及び右眼用の第２チャンネル映像データＤ４を一時的に記憶し得るようになされている。
【００５８】
ところで、インタレース方式に対応した撮像装置１（図１及び図２）がビデオカメラ２１に搭載されていた場合、左眼用の第１チャンネル映像データＤ３にはそれぞれオッドフィールド映像データＤ３ｏｄｄ及びイーブンフィールド映像データＤ３ｅｖｅｎが含まれており、右眼用の第２チャンネル映像データＤ４にはそれぞれオッドフィールド映像データＤ４ｏｄｄ及びイーブンフィールド映像データＤ４ｅｖｅｎが含まれている。
【００５９】
従ってモニター用画像処理回路２８は、左眼用の第１チャンネル映像データＤ３におけるオッドフィールド映像データＤ３ｏｄｄ及びイーブンフィールド映像データＤ３ｅｖｅｎをディジタルアナログ変換回路２９を介してそれぞれ１／１２０秒間隔で出力することにより、当該左眼用の第１チャンネル映像データＤ３の１フレームを１／６０秒間隔でモニター３１に表示するようになされている。
【００６０】
またモニター用画像処理回路２８は、右眼用の第２チャンネル映像データＤ４におけるオッドフィールド映像データＤ４ｏｄｄ及びイーブンフィールド映像データＤ４ｅｖｅｎをディジタルアナログ変換回路２９を介してそれぞれ１／１２０秒間隔で出力することにより、当該右眼用の第２チャンネル映像データＤ４の１フレームを１／６０秒間隔でモニター３１に表示するようになされている。
【００６１】
これによりモニター用画像処理回路２８は、１フレーム分に相当する左眼用の第１チャンネル映像データＤ３及び１フレーム分に相当する右眼用の第２チャンネル映像データＤ４に応じた左眼用映像及び右眼用映像を１／６０秒間隔で交互にモニター３１へ出力し得るようになされている。
【００６２】
このときマイクロコンピュータ２７は、メガネ型の立体映像可視表示装置３２の左眼用表示部３２Ｌ及び右目用表示部３２Ｒに設けられた電子シャッタをそれぞれ交互に１／６０秒間隔でオンオフすることにより、モニター３１に１／６０秒間隔で表示した第１チャンネル映像データＤ３及び第２チャンネル映像データＤ４に応じた１フレーム分の左眼用映像及び右眼用映像を立体映像としてユーザに目視確認させ得るようになされている。
【００６３】
一方、プログレッシブ方式に対応した撮像装置１１（図３及び図４）がビデオカメラ２１に搭載されていた場合、ビデオカメラ２１は１／３０秒間隔で左眼用の第１チャンネル映像信号Ｓ１（走査線数５２５本）及び右眼用の第２チャンネル映像信号Ｓ２（走査線数５２５本）を同時に生成している。
【００６４】
従ってモニター用画像処理回路２８は、左眼用の第１チャンネル映像データＤ３と右眼用の第２チャンネル映像データＤ４とをディジタルアナログ変換回路２９を介して１／６０秒間隔でモニター３１に表示するようになされている。
【００６５】
このときマイクロコンピュータ２７は、メガネ型の立体映像可視表示装置３２の左眼用表示部３２Ｌ及び右目用表示部３２Ｒに設けられた電子シャッタをそれぞれ交互に１／６０秒間隔でオンオフすることにより、モニター３１に１／６０秒間隔で表示した第１チャンネル映像データＤ３及び第２チャンネル映像データＤ４に応じた１フレーム分の左眼用映像及び右眼用映像を立体映像としてユーザに目視確認させ得るようになされている。
【００６６】
なお立体映像生成装置２０のマイクロコンピュータ２７は、左眼用の第１チャンネル映像データＤ３もしくは右眼用の第２チャネンル映像データＤ４のいずれか一方だけをライブ／ビデオ切換スイッチＳＷ１、モニター用画像処理回路２８及びアナログディジタル変換回路２９を介してモニター３１へ出力することにより、立体映像としてではなく、通常のインタレース方式又はプログレッシブ方式に対応した通常の映像として表示し得るようにもなされている。
【００６７】
（３）動作及び効果
以上の構成において、撮像装置１は、レンズ５、水平成分偏光フィルタ３及び偏光フィルタＨＦ１、ＨＦ３、ＨＦ５、ＨＦ７、ＨＦ９、……を介して透過した被写体Ｑ１からの第１の映像光Ｌ１のうち水平成分ＨＬ１だけをＣＣＤ２における撮像面のうち第１チャンネル映像信号のオッド第１ラインＶ１ＯＬ１、イーブン第１ラインＶ１ＥＬ１、オッド第２ラインＶ１ＯＬ２、イーブン第２ラインＶ１ＥＬ２、……に集光することにより、左眼用の第１チャンネル映像信号Ｓ１（オッドフィールド映像信号、イーブンフィールド映像信号）を生成することができる。
【００６８】
また撮像装置１は、レンズ６、垂直成分偏光フィルタ４及び偏光フィルタＨＦ２、ＨＦ４、ＨＦ６、ＨＦ８、……を介して透過した被写体Ｑ１からの第２の映像光Ｌ２のうち垂直成分ＶＬ２だけをＣＣＤ２における撮像面のうち第２チャンネル映像信号のオッド第１ラインＶ２ＯＬ１、イーブン第１ラインＶ２ＥＬ１、オッド第２ラインＶ２ＯＬ２、イーブン第２ラインＶ２ＥＬ２、……に集光することにより、右眼用の第２チャンネル映像信号Ｓ２（オッドフィールド映像信号、イーブンフィールド映像信号）を生成することができる。
【００６９】
一方、撮像装置１１は、レンズ５、水平成分偏光フィルタ３及び偏光フィルタＨＦ１、ＨＦ３、ＨＦ５、ＨＦ７、ＨＦ９、……を介して透過した被写体Ｑ１からの第１の映像光Ｌ１のうち水平成分ＨＬ１だけをＣＣＤ２における撮像面のうち第１チャンネル映像信号の第１ラインＶ１ＰＬ１、第２ラインＶ１ＰＬ２、第３ラインＶ１ＰＬ３、第４ラインＶ１ＰＬ４、……に集光することにより、プログレッシブ方式に対応した左眼用の第１チャンネル映像信号Ｓ１（走査線数５２５本）を生成することができる。
【００７０】
また撮像装置１１は、レンズ６、垂直成分偏光フィルタ４及び偏光フィルタＨＦ２、ＨＦ４、ＨＦ６、ＨＦ８、……を介して透過した被写体Ｑ１からの第２の映像光Ｌ２のうち垂直成分ＶＬ２だけをＣＣＤ１２における撮像面のうち第２チャンネル映像信号の第１ラインＶ２ＰＬ１、第２ラインＶ２ＰＬ２、第３ラインＶ２ＰＬ３、第４ラインＶ２ＰＬ４、……に集光することにより、プログレッシブ方式に対応した右眼用の第２チャンネル映像信号Ｓ２（走査線数５２５本）を生成することができる。
【００７１】
このように撮像装置１及び１１は、人間の視差に応じた間隔だけ離間して配置された一方の水平成分偏光フィルタ３により被写体Ｑ１からの第１の映像光Ｌ１のうち水平成分ＨＬ１だけを透過した後に偏光フィルタＨＦ１、ＨＦ３、ＨＦ５、ＨＦ７、ＨＦ９、……を介してＣＣＤ２又は１２の撮像面に照射することができる。
【００７２】
このとき同時に撮像装置１及び１１は、人間の視差に応じた間隔だけ水平成分偏光フィルタ３から離間して配置された他方の垂直成分偏光フィルタ４により被写体Ｑ１からの第２の映像光Ｌ２のうち垂直成分ＶＬ２だけを透過した後に偏光フィルタＨＦ２、ＨＦ４、ＨＦ６、ＨＦ８、……を介してＣＣＤ２又は１２の撮像面に照射することができる。
【００７３】
これにより撮像装置１及び１１は、１つのＣＣＤ２又は１２だけを用いて、被写体Ｑ１からの第１の映像光Ｌ１のうち水平成分ＨＬ１のみからなる左眼用の第１チャンネル映像信号Ｓ１及び被写体Ｑ１からの第２の映像光Ｌ２のうち垂直成分ＶＬ２のみからなる右眼用の第２チャンネル映像信号Ｓ２を生成することができる。
【００７４】
従って立体映像生成装置２０は、撮像装置１又は１１を搭載したビデオカメラ２１によって被写体Ｑ１を撮像すると同時に生成した２チャンネル分の左眼用の第１チャンネル映像信号Ｓ１及び右眼用の第２チャンネル映像信号Ｓ２を、アナログディジタル変換回路２２、２３、モニター用画像処理回路２８及びディジタルアナログ変換回路２９を介して１／６０秒間隔でモニター３１に表示することができる。
【００７５】
また同時に立体映像生成装置２０は、立体映像可視表示装置３２の左眼用表示部３２Ｌ及び右目用表示部３２Ｒに設けられた電子シャッタをそれぞれ交互に１／６０秒間隔でオンオフすることにより、モニター３１に１／６０秒間隔で表示した左眼用映像及び右眼用映像を立体映像としてユーザに目視確認させることができる。
【００７６】
これに対して、図１との対応部分に同一符号を付して示す図６に示すように従来の撮像装置３６では、被写体Ｑ１からの第１の映像光Ｌ１及び第２の映像光Ｌ２をビームスプリッタ３７を介して第１ＣＣＤ３８及び第２ＣＣＤ３９に照射しなければ左眼用の第１チャンネル映像信号Ｓ１及び右眼用の第２チャンネル映像信号Ｓ２を生成することができなかった。
【００７７】
しかしながら本発明における撮像装置１及び１１では、１つのＣＣＤ２又は１２だけを用いて左眼用の第１チャンネル映像信号Ｓ１及び右眼用の第２チャンネル映像信号Ｓ２を生成することができるので、従来の撮像装置３６と比較して構成を簡素化できると共に一段と小型化することができ、かつ消費電力を確実に低減することができる。
【００７８】
また撮像装置１又は１１は、水平成分偏光フィルタ３及び垂直成分偏光フィルタ４が予め人間の視差に応じた間隔だけ離間した状態で配置され、かつ１つのＣＣＤ２又は１１だけを用いて構成されているので、立体映像を構成する左眼用の第１チャンネル映像信号Ｓ１及び右眼用の第２チャンネル映像信号Ｓ２を生成するに際して、従来の２台のビデオカメラを用いて立体映像を生成する場合のように、ユーザに対して焦点距離、絞り、ズーム等の各種調整項目を２台のビデオカメラ間で揃えさせたり、２台のビデオカメラ間の性能のばらつきを考慮させることもなくなる。
【００７９】
以上の構成によれば、撮像装置１及び１１は、予め人間の視差に応じた間隔だけ離間して配置した水平成分偏光フィルタ３及び垂直成分偏光フィルタ４、当該水平成分偏光フィルタ３に対応した偏光フィルタＨＦ１、ＨＦ３、ＨＦ５、ＨＦ７、ＨＦ９、……、垂直成分偏光フィルタ４に対応した偏光フィルタＨＦ２、ＨＦ４、ＨＦ６、ＨＦ８、……を介して第１の映像光Ｌ１のうち水平成分ＨＬ１及び第２の映像光Ｌ２のうち垂直成分ＶＬ２だけをＣＣＤ２又は１２の撮像面にそれぞれ分けて照射することにより、１つのＣＣＤ２又は１２だけで立体映像を構成する左眼用の第１チャンネル映像信号Ｓ１及び右眼用の第２チャンネル映像信号Ｓ２を生成することができる。
【００８０】
また本発明によれば、立体映像生成装置２０は撮像装置１又は１１を介して生成した左眼用の第１チャンネル映像信号Ｓ１及び右眼用の第２チャンネル映像信号Ｓ２に基づく左眼用映像及び右眼用映像を所定時間間隔で表示タイミングを制御しながらモニター３１に表示することにより、立体映像可視表示装置３２を介してユーザに立体映像として目視確認させることができる。
【００８１】
（４）他の実施の形態
なお上述の実施の形態においては、１つのＣＣＤ２又は１２を用いて左眼用の第１チャンネル映像信号Ｓ１及び右眼用の第２チャンネル映像信号Ｓ２を生成する撮像装置１又は１１について述べたが、本発明はこれに限らず、Ｒ（Ｒｅｄ）、Ｇ（Ｇｒｅｅｎ）又はＢ（Ｂｌｕｅ）毎のＣＣＤを用いた３つのＣＣＤすなわち３ＣＣＤ方式の撮像装置によって左眼用の第１チャンネル映像信号Ｓ１及び右眼用の第２チャンネル映像信号Ｓ２を生成するようにしても良い。
【００８２】
この場合、図１との対応部分に同一符号を付して示す図７に示すように３ＣＣＤ方式の撮像装置４０は、中央のビームスプリッタ４４の周囲にＲ（Ｒｅｄ）、Ｇ（Ｇｒｅｅｎ）又はＢ（Ｂｌｕｅ）毎の赤色用ＣＣＤ４１、緑色用ＣＣＤ４２及び青色用ＣＣＤ４３を配置し、人間の視差に対応した間隔だけ離間して配置された水平成分偏光フィルタ３及び垂直成分偏光フィルタ４を介して透過された第１の映像光Ｌ１のうち水平成分ＨＬ１及び第２の映像光Ｌ２のうち垂直成分ＶＬ２を赤色用ＣＣＤ４１、緑色用ＣＣＤ４２及び青色用ＣＣＤ４３に対してそれぞれ照射するようになされている。
【００８３】
図８（Ａ）、（Ｂ）及び（Ｃ）に示すように赤色用ＣＣＤ４１、緑色用ＣＣＤ４２及び青色用ＣＣＤ４３は、例えばプログレッシブ方式に対応した固体撮像素子でなり、ＮＴＳＣ方式における走査線数（５２５本）の２倍の走査線数（１０５０本）に対応した画素数を有し、その全画素の前面に赤色、緑色及び青色のカラーフィルタが設けられている。
【００８４】
赤色用ＣＣＤ４１は、第１チャンネル映像信号の第１ラインＲ１ＰＬ１から１走査線飛びに順次配置された第１チャンネル映像信号の第１ラインＲ１ＰＬ２、第１チャンネル映像信号の第１ラインＲ１ＰＬ３、……がプログレッシブ方式に対応した左眼用の第１チャンネル映像信号の画素ラインとなり、第２チャンネル映像信号の第１ラインＲ２ＰＬ１から１操作線飛びに順次配置された第２チャンネル映像信号の第２ラインＲ２ＰＬ２、第２チャンネル映像信号の第３ラインＲ２ＰＬ３、……がプログレッシブ方式に対応した右眼用の第２チャンネル映像信号の画素ラインとなる。
【００８５】
緑色用ＣＣＤ４２は、第１チャンネル映像信号の第１ラインＧ１ＰＬ１から１走査線飛びに順次配置された第１チャンネル映像信号の第１ラインＧ１ＰＬ２、第１チャンネル映像信号の第１ラインＧ１ＰＬ３、……がプログレッシブ方式に対応した左眼用の第１チャンネル映像信号の画素ラインとなり、第２チャンネル映像信号の第１ラインＧ２ＰＬ１から１操作線飛びに順次配置された第２チャンネル映像信号の第２ラインＧ２ＰＬ２、第２チャンネル映像信号の第３ラインＧ２ＰＬ３、……がプログレッシブ方式に対応した右眼用の第２チャンネル映像信号の画素ラインとなる。
【００８６】
青色用ＣＣＤ４３は、第１チャンネル映像信号の第１ラインＢ１ＰＬ１から１走査線飛びに順次配置された第１チャンネル映像信号の第１ラインＢ１ＰＬ２、第１チャンネル映像信号の第１ラインＢ１ＰＬ３、……がプログレッシブ方式に対応した左眼用の第１チャンネル映像信号の画素ラインとなり、第２チャンネル映像信号の第１ラインＢ２ＰＬ１から１操作線飛びに順次配置された第２チャンネル映像信号の第２ラインＢ２ＰＬ２、第２チャンネル映像信号の第３ラインＢ２ＰＬ３、……がプログレッシブ方式に対応した右眼用の第２チャンネル映像信号の画素ラインとなる。
【００８７】
図９に示すように撮像装置４０は、赤色用ＣＣＤ４１における第１ラインＲ１ＰＬ１の第１画素データＲＤ１と、緑色用ＣＣＤ４２における第１ラインＧ１ＰＬ１の第１画素データＧＤ１と、青色用ＣＣＤ４３における第１ラインＢ１ＰＬ１の第１画素データＢＤ１とをそれぞれＶレジスタ５１〜５３、Ｈレジスタ５４〜５６及び増幅器５７〜５９を介して合成回路６０で、次式
【００８８】
【数１】
2004309868.tif 000003
【００８９】
【数２】
2004309868.tif 000004
【００９０】
【数３】
2004309868.tif 000005
【００９１】
に従って合成することにより輝度信号Ｙ及び色差信号Ｒ−Ｙ、Ｂ−Ｙを生成し、これらを第１チャンネル映像信号の第１ラインにおける第１画素の信号として出力するようになされている。
【００９２】
このように撮像装置４０は、以下同様にして全ての画素について（１）〜（３）式に基づく計算を順次行うことにより第１チャンネル映像信号及び第２チャンネル映像信号における各画素の輝度信号Ｙ及び色差信号Ｒ−Ｙ、Ｂ−Ｙを生成して出力する。
【００９３】
これにより、３ＣＣＤ方式（３板式）による撮像装置４０では、１つのＣＣＤ２又は１２を用いる単板式の撮像装置１又は１１が３画素でカラー画像の１画素を構成することになることに比べて色再現性を一段と向上させる等の高画質化を図ることができる。なお、図１のＣＣＤ２における説明に当てはめるには、上述の色差信号Ｒ−Ｙ、Ｂ−Ｙに対して直角２相変調を施すことによりコンポジット信号を得ることができる。
【００９４】
また上述の実施の形態においては、撮像装置１及び１１における水平成分偏光フィルタ３及び垂直成分偏光フィルタ４を人間の視差に応じた間隔だけ離間して配置するようにした場合について述べたが、本発明はこれに限らず、任意の距離だけ離間して配置すると共に所定の角度傾けることにより、広角な範囲で２チャンネル分の映像信号を生成するようにしても良い。
【００９５】
さらに上述の実施の形態においては、２チャンネル分に相当する左眼用の第１チャンネル映像信号Ｓ１及び右眼用の第２チャンネル映像信号Ｓ２を生成するために、ＮＴＳＣ方式における走査線数の２倍の走査線数に対応した画素数を有するＣＣＤ２又は１２を用いるようにした場合について述べたが、本発明はこれに限らず、例えば４チャンネル分の映像信号やｎチャンネル分の映像信号を生成するために整数（ｎ）倍の走査線数に対応した画素を有するＣＣＤを用いるようにしても良い。この場合、ｎチャンネル分の映像信号を生成するために偏光フィルタをｎ個用意する。
【００９６】
さらに上述の実施の形態においては、２チャンネル分に相当する左眼用の第１チャンネル映像信号Ｓ１及び右眼用の第２チャンネル映像信号Ｓ２を生成するために、ＮＴＳＣ方式における走査線数の２倍の走査線数に対応した画素数を有するＣＣＤ２又は１２を用いるようにした場合について述べたが、本発明はこれに限らず、走査線数はそのままでオッドフィールドを左眼用の第１チャンネル映像信号用に割り当て、イーブンフィールドを右眼用の第２チャンネル映像信号用に割り当てることにより、左眼用の第１チャンネル映像信号及び右眼用の第２チャンネル映像信号を生成するようにしても良い。
【００９７】
さらに上述の実施の形態においては、インタレース方式に対応したＣＣＤ２によって左眼用の第１チャンネル映像データＤ３におけるオッドフィールド映像データＤ３ｏｄｄ及びイーブンフィールド映像データＤ３ｅｖｅｎと、右眼用の第２チャンネル映像データＤ４におけるオッドフィールド映像データＤ４ｏｄｄ及びイーブンフィールド映像データＤ４ｅｖｅｎとをそれぞれ１／１２０秒間隔で出力することにより、左眼用の第１チャンネル映像データＤ３及び右眼用の第２チャンネル映像データＤ４を１／６０秒間隔でモニター３１に表示するようにした場合について述べたが、本発明はこれに限らず、左眼用の第１チャンネル映像データＤ３におけるオッドフィールド映像データＤ３ｏｄｄ及び右眼用の第２チャンネル映像データＤ４におけるイーブンフィールド映像データＤ４ｅｖｅｎだけを１／６０秒間隔で出力するようにしても良い。すなわち左眼用の第１チャンネル映像データＤ３におけるイーブンフィールド映像データＤ３ｅｖｅｎ及び右眼用の第２チャンネル映像データＤ４におけるオッドフィールド映像データＤ４ｏｄｄについては出力せずに捨ててしまうようにしても良い。
【００９８】
さらに上述の実施の形態においては、ＮＴＳＣ方式における走査線数（５２５本）の２倍の走査線数（１０５０本）に対応した画素数を有するＣＣＤ２又は１２を用いるようにした場合について述べたが、本発明はこれに限らず、ＰＡＬ（Ｐｈａｓｅ  Ａｌｔｅｒｎａｔｉｏｎ  ｂｙ  Ｌｉｎｅ  ｃｏｌｏｒ  ｔｅｌｅｖｉｓｉｏｎ）方式やＳＥＣＡＭ（Ｓｅｑｕｅｎｔｉａｌ  Ｃｏｕｌｅｕｒ  ａ  Ｍｅｍｏｉｒｅ）方式等における走査線数（６２５本）の２倍の走査線数（１２５０本）に対応したものや、ＸＧＡ（ｅＸｔｅｎｄｅｄ  Ｇｒａｐｈｉｃｓ  Ａｒｒａｙ）、ＳＸＧＡ（Ｓｕｐｅｒ  ｅＸｔｅｎｄｅｄ  Ｇｒａｐｈｉｃｓ  Ａｒｒａｙ）等の画素数、ライン数を有するＣＣＤを用いるようにしても良い。
【００９９】
さらに上述の実施の形態においては、撮像装置１及び１１によって生成した左眼用の第１チャンネル映像信号Ｓ１及び右眼用の第２チャンネル映像信号Ｓ２を用いて立体映像を表示するようにした場合について述べたが、本発明はこれに限らず、例えば第１チャネンル映像信号Ｓ１及び第２チャンネル映像信号Ｓ２を用いて被写体までの距離を測定するようにしても良く、複数チャンネルの映像信号の用途としては立体映像を表示する場合に限るものではない。
【０１００】
さらに上述の実施の形態においては、ＣＣＤ２及び１１の撮像面に対して第１の映像光Ｌ１のうち水平成分ＨＬ１だけを透過する偏光フィルタＨＦ１、ＨＦ３、ＨＦ５、ＨＦ７、ＨＦ９、……を１走査線飛びに設けると共に、第２の映像光Ｌ２のうち垂直成分ＶＬ２だけを透過する偏光フィルタＨＦ２、ＨＦ４、ＨＦ６、ＨＦ８、……を１走査線飛びに設けるようにした場合について述べたが、本発明はこれに限らず、例えばＣＣＤ２及び１１の撮像面に対して上半分だけの領域に映像光Ｌ１のうち水平成分ＨＬ１だけを透過する偏光フィルタＨＦ１、ＨＦ３、ＨＦ５、ＨＦ７、ＨＦ９、……を設け、下半分だけの領域に第２の映像光Ｌ２のうち垂直成分ＶＬ２だけを透過する偏光フィルタＨＦ２、ＨＦ４、ＨＦ６、ＨＦ８、……を設けるようにしても良い。
【０１０１】
さらに上述の実施の形態においては、撮像手段としてのＣＣＤ２及び１１、第１の水平成分偏光手段としての水平成分偏光フィルタ３、第１の垂直成分偏光手段としての垂直成分偏光フィルタ４によって本発明の撮像装置を構成するようにした場合について述べたが、本発明はこれに限らず、他の種々の撮像手段、第１の水平成分偏光手段、第１の垂直成分偏光手段によって撮像装置を構成するようにしても良い。
【０１０２】
【発明の効果】
上述のように本発明によれば、第１の水平成分偏光手段を介して被写体からの第１の映像光における水平成分だけを撮像手段の撮像面における所定範囲の画素にだけ集光させると共に、第１の垂直成分偏光手段を介して被写体からの第２の映像光における垂直成分だけを撮像手段の撮像面における残余範囲の画素にだけ集光させることにより、第１の映像光及び第２の映像光にのみ対応したチャンネルの映像信号をそれぞれ生成することができ、かくして簡易な構成でかつユーザにとって容易に複数チャンネルの映像信号を生成し得る撮像装置を実現できる。
【０１０３】
また本発明によれば、第１の水平成分偏光手段を介して被写体からの第１の映像光における水平成分だけを撮像手段の撮像面における所定範囲の画素にだけ集光させると共に、第１の垂直成分偏光手段を介して被写体からの第２の映像光における垂直成分だけを撮像手段の撮像面における残余範囲の画素にだけ集光させることにより、第１の映像光及び第２の映像光に対応した左眼用映像信号及び右眼用映像信号をそれぞれ生成し、当該左眼用映像信号及び右眼用映像信号に対して所定の信号処理を施した後、所定時間間隔で交互に切り換えて出力することにより、当該左眼用映像信号及び右眼用映像信号を立体映像として表示することができ、かくして簡易な構成でかつユーザにとって容易に立体映像を生成し得る立体映像生成装置を実現することができる。
【図面の簡単な説明】
【図１】本発明におけるインタレース方式に対応した撮像装置を示す略線的斜視図である。
【図２】本発明におけるインタレース方式に対応したＣＣＤの撮像面を示す略線図である。
【図３】本発明におけるプログレッシブ方式に対応した撮像装置を示す略線的斜視図である。
【図４】本発明におけるプログレッシブ方式に対応したＣＣＤの撮像面を示す略線図である。
【図５】本発明における立体映像生成装置の回路構成を示す略線的ブロック図である。
【図６】従来の２ＣＣＤ方式の撮像装置の構成を示す略線図である。
【図７】他の実施の形態における３ＣＣＤ方式の撮像装置の外観構成を示す略線図である。
【図８】他の実施の形態における３ＣＣＤ方式の撮像装置における各ＣＣＤの撮像面を示す略線図である。
【図９】他の実施の形態における３ＣＣＤ方式の撮像装置の回路構成を示す略線的ブロック図である。
【符号の説明】
１、１１、４０……撮像装置、２、１２……ＣＣＤ、３……水平成分偏光フィルタ、４……垂直成分偏光フィルタ、５、６……レンズ、ＨＦ１〜ＨＦｎ……偏光フィルタ、２０……立体映像生成装置、２１……ビデオカメラ、２７……マイクロコンピュータ、２８……モニター用画像処理回路、３０……メモリ、３１……モニター。
【図１】
2004309868.tif 000006
【図２】
2004309868.tif 000007
【図３】
2004309868.tif 000008
【図４】
2004309868.tif 000009
【図５】
2004309868.tif 000010
【図６】
2004309868.tif 000011
【図７】
2004309868.tif 000012
【図８】
2004309868.tif 000013
【図９】
2004309868.tif 000014